(57)【要約】【課題】メッシュパターンに形成された電極パターンの視認性を低減させることができるタッチセンサを提供する。【解決手段】本発明のタッチセンサは、ベース基板１０と、ベース基板１０に形成され、少なくとも一つ以上の金属細線２０ａが交差して形成されるメッシュパターンの電極パターンと、を含み、金属細線２０ａの間の領域上にドットパターン３０が形成されるものである。【選択図】図２
2015130145.tif 000002
【特許請求の範囲】
【請求項１】
ベース基板と、
前記ベース基板に形成され、少なくとも一つ以上の金属細線が交差して形成されるメッシュパターンの電極パターンと、を含み、
前記金属細線の間の領域上にドットパターンが形成される、タッチセンサ。
【請求項２】
前記電極パターンは、少なくとも二つ以上の電極パターンの間を電気的に絶縁させるために前記金属細線上に形成された切断部を備える、請求項１に記載のタッチセンサ。
【請求項３】
前記ドットパターンの直径が前記切断部の隔離距離より小さく形成される、請求項２に記載のタッチセンサ。
【請求項４】
前記ドットパターンは、前記金属細線から離隔され、前記金属細線の形成方向に等間隔で離隔されるように形成される、請求項１に記載のタッチセンサ。
【請求項５】
前記ドットパターンは少なくとも一つ以上のドットを含み、前記ドットは、前記金属細線の形成方向に等間隔で形成される、請求項１に記載のタッチセンサ。
【請求項６】
前記ドットパターンは、前記電極パターン上で、１ｍｍ×１ｍｍの単位面積当上に少なくとも１個以上２，０００個以下のドットを含む、請求項１に記載のタッチセンサ。
【請求項７】
前記金属細線の線幅が３μｍ〜８μｍである場合、前記電極パターン上で１ｍｍ×１ｍｍの単位面積上に少なくとも５０個以上２，０００個以下のドットが形成される、請求項１に記載のタッチセンサ。
【請求項８】
前記電極パターンが形成されたタッチセンサの活性領域の全体面積において、前記金属細線及びドットパターンの面積が５％以下に形成される、請求項１に記載のタッチセンサ。
【請求項９】
前記ドットパターンは、前記金属細線の線幅に対応する直径を有するように形成される、請求項１に記載のタッチセンサ。
【請求項１０】
前記金属細線の線幅は前記切断部の離隔幅より小さく形成され、
前記金属細線の線幅は前記ドットパターンの直径より大きいかまたは等しく形成される、請求項２に記載のタッチセンサ。
【請求項１１】
前記ドットパターンは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）、ニッケル（Ｎｉ）、またはこれらの組み合わせで形成される、請求項１に記載のタッチセンサ。
【請求項１２】
前記ドットパターンは、絶縁材質で形成される、請求項１に記載のタッチセンサ。
【請求項１３】
前記ドットパターンは少なくとも一つ以上のドットを含み、前記ドットの直径は０．１μｍ以上１０μｍ以下に形成される、請求項１に記載のタッチセンサ。
【請求項１４】
前記ドットパターンは少なくとも一つ以上のドットを含み、前記ドットは、多角形または少なくとも二つ以上の多角形が結合されて形成される、請求項１に記載のタッチセンサ。
【請求項１５】
前記ドットの直径は０．１μｍ以上１０μｍ以下に形成され、前記直径は、ドットの中心を通り、前記ドットの縁において最も遠く離れている二つの点を引いた線分と定義される、請求項１０に記載のタッチセンサ。
【請求項１６】
前記ドットパターンは少なくとも一つ以上のドットを含み、前記ドットは、前記金属細線から離隔されて形成され、前記ドットパターン上で任意の間隔で互いに離隔されて形成される、請求項１に記載のタッチセンサ。
【請求項１７】
前記ドットパターンは複数個のドットを含み、前記ドットは、円形、多角形、またはその組み合わせによる形状に形成され、前記複数個のドットは互いに異なる形状に形成される、請求項１に記載のタッチセンサ。
【発明の詳細な説明】
【技術分野】
【０００１】
本発明は、タッチセンサに関する。
【背景技術】
【０００２】
デジタル技術を用いるコンピュータが発達するにつれて、コンピュータの補助装置もともに開発されており、パソコン、携帯用送信装置、その他の個人用の情報処理装置などは、キーボード、マウスなどの様々な入力装置（Ｉｎｐｕｔ  Ｄｅｖｉｃｅ）を利用してテキスト及びグラフィック処理を行う。
【０００３】
しかし、情報化社会の急速な進行により、コンピュータの用途が益々拡大する傾向にあるため、現在、入力装置の役割を担当しているキーボード及びマウスだけでは、効率的な製品の駆動が困難であるという問題点がある。従って、簡単で誤操作が少なく、誰でも簡単に情報を入力することができる機器の必要性が高まっている。
【０００４】
また、入力装置に関する技術は、一般的な機能を満たす水準を越えて、高信頼性、耐久性、革新性、設計及び加工に関する技術などが注目されており、このような目的を達成するために、テキスト、グラフィックなどの情報入力が可能な入力装置として、タッチセンサ（ｔｏｕｃｈ  ｓｅｎｓｏｒ）が開発された。
【０００５】
タッチセンサは、電子手帳、液晶表示装置（ＬＣＤ；Ｌｉｑｕｉｄ  Ｃｒｙｓｔａｌ  Ｄｉｓｐｌａｙ  Ｄｅｖｉｃｅ）、ＰＤＰ（Ｐｌａｓｍａ  Ｄｉｓｐｌａｙ  Ｐａｎｅｌ）、Ｅｌ（Ｅｌｅｃｔｒｏｌｕｍｉｎｅｓｃｅｎｃｅ）などの平板ディスプレイ装置及び負極線管（Ｃａｔｈｏｄｅ  Ｒａｙ  Ｔｕｂｅ；ＣＲＴ）などの画像表示装置の表示面に設けられ、ユーザが画像表示装置を見ながら所望の情報を選択するように利用される機器である。
【０００６】
従来、特許文献１のように、金属電極をタッチセンサの電極パターンとして用いる場合、不透明な電極パターンが視認されるという問題があった。このような不透明な電極パターンの視認を低減させるための様々な方法が提案されている。しかし、金属電極を用いて伝導度を向上させるとともに、金属電極の視認性を低減させるという課題は、未だに解決されていない。
【先行技術文献】
【特許文献】
【０００７】
【特許文献１】米国特許出願公開第２０１３／０１８０８４１号明細書
【発明の概要】
【発明が解決しようとする課題】
【０００８】
本発明は、上述の従来技術の問題点を解決するためのものであって、本発明の一側面は、メッシュパターンに形成された電極パターンの視認性を低減させることができるタッチセンサを提供することをその目的とする。
【課題を解決するための手段】
【０００９】
本発明の一実施例によるタッチセンサは、ベース基板と、前記ベース基板に形成され、少なくとも一つ以上の金属細線が交差して形成されるメッシュパターンの電極パターンと、を含み、前記金属細線の間の領域上にドットパターンが形成されるものである。
【００１０】
本発明の一実施例において、前記電極パターンは、少なくとも二つ以上の電極パターンの間を電気的に絶縁させるために前記金属細線上に形成された切断部を備えることができる。
【００１１】
本発明の一実施例において、前記ドットパターンの直径が前記切断部の隔離距離より小さく形成されることができる。
【００１２】
本発明の一実施例において、前記ドットパターンは、前記金属細線から離隔され、前記金属細線の形成方向に等間隔で離隔されるように形成されることができる。
【００１３】
本発明の一実施例において、前記ドットパターンは少なくとも一つ以上のドットを含み、前記ドットは、前記金属細線の形成方向に等間隔で形成されることができる。
【００１４】
本発明の一実施例において、前記ドットパターンは、前記電極パターン上で、１ｍｍ×１ｍｍの単位面積上に少なくとも１個以上２，０００個以下のドットを含むことができる。
【００１５】
本発明の一実施例において、前記金属細線の線幅が３μｍ〜８μｍである場合、前記電極パターン上で１ｍｍ×１ｍｍの単位面積上に少なくとも５０個以上２，０００個以下のドットが形成されることができる。
【００１６】
本発明の一実施例において、前記電極パターンが形成されたタッチセンサの活性領域の全体面積において、前記金属細線及びドットパターンの面積が５％以下に形成されることができる。
【００１７】
本発明の一実施例において、前記ドットパターンは、前記金属細線の線幅に対応する直径を有するように形成されることができる。
【００１８】
本発明の一実施例において、前記金属細線の線幅は前記切断部の離隔幅より小さく形成され、前記金属細線の線幅は前記ドットパターンの直径より大きいかまたは等しく形成されることができる。
【００１９】
本発明の一実施例において、前記ドットパターンは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）、ニッケル（Ｎｉ）、またはこれらの組み合わせで形成されることができる。
【００２０】
本発明の一実施例において、前記ドットパターンは、絶縁材質で形成されることができる。
【００２１】
本発明の一実施例において、前記ドットパターンは少なくとも一つ以上のドットを含み、前記ドットの直径は０．１μｍ以上１０μｍ以下に形成されることができる。
【００２２】
本発明の一実施例において、前記ドットパターンは少なくとも一つ以上のドットを含み、前記ドットは、多角形または少なくとも二つ以上の多角形が結合されて形成されることができる。
【００２３】
本発明の一実施例において、前記ドットの直径は０．１μｍ以上１０μｍ以下に形成され、前記直径は、ドットの中心を通り、前記ドットの縁において最も遠く離れている二つの点を引いた線分と定義することができる。
【００２４】
本発明の一実施例において、前記ドットパターンは少なくとも一つ以上のドットを含み、前記ドットは、前記金属細線から離隔されて形成され、前記ドットパターン上で任意の間隔で互いに離隔されて形成されることができる。
【００２５】
本発明の一実施例において、前記ドットパターンは複数個のドットを含み、前記ドットは、円形、多角形、またはその組み合わせによる形状に形成され、前記複数個のドットは互いに異なる形状に形成されることができる。
【発明の効果】
【００２６】
本発明の一実施例によれば、メッシュパターンに形成された電極パターンの視認性を低減させることで、タッチセンサを含むディスプレイ装置の視認性をより向上させることができる。
【００２７】
また、電極パターンを構成する不透明な金属電極のメッシュパターンの視認性を低減させるために、メッシュパターン上にドットパターンを形成することで、電極パターンが視認されることを防止することができる。
【００２８】
また、ドットパターンを成す複数個のドットの形状及びドットの配置の自由度を変更することで、電極パターンの視認性をより効果的に低減させることができる。
【００２９】
また、電極パターンを成す材質と同一の金属材質でドットパターンを形成することで、メッシュパターンの形状が直感的に視認されないようにして、電極パターンとディスプレイとが結合される際に発生し得るモアレ現象を防止するとともに、タッチセンサの電極パターン自体の視認性も低減させることができる。
【００３０】
また、ドットパターンを成すドットをランダムのパターンに形成するか、または各ドットの形状を互いに異なるように形成することで、モアレ現象をより効果的に防止することができる。
【図面の簡単な説明】
【００３１】
【図１】本発明の一実施例によるタッチセンサの断面図である。
【図２】本発明の一実施例によるメッシュパターンの平面図である。
【図３】本発明の一実施例によるメッシュパターンに形成された電極パターンの平面図である。
【図４】本発明の一実施例によるメッシュパターンの単位面積上に形成されたドットを示す図面である。
【図５】本発明の他の実施例によるドットの多様な形状を図示した図面である。
【発明を実施するための形態】
【００３２】
本発明の目的、特定の長所及び新規の特徴は、添付図面に係る以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００３３】
以下、添付図面を参照して、本発明の好ましい実施例を詳細に説明する。
【００３４】
図１は、本発明の一実施例によるタッチセンサの断面図であり、図２は、本発明の一実施例によるメッシュパターンの平面図であり、図３は、本発明の一実施例によるメッシュパターンに形成された電極パターンの平面図であり、図４は、本発明の一実施例によるメッシュパターンの単位面積上に形成されたドットを示す図面であり、図５は、本発明の他の実施例によるドットの多様な形状を図示した図面である。
【００３５】
先ず、図１に図示されたように、本発明の一実施例によるタッチセンサは、ベース基板１０の両面に第１電極パターン２１及び第２電極パターン２２が形成されており、第２電極パターン２２の下部には、ディスプレイ部６０が接着層４０を介して接合させることができる。
【００３６】
また、第１電極パターン２１側の最外層には、タッチセンサを保護するための保護基板として、ウィンドウ基板５０が接着層４０を介してさらに接合させることができる。
【００３７】
但し、本発明の一実施例は、このような特定構造に限定されるものではなく、後述する電極パターン２０は、第１電極パターン２１及び第２電極パターン２２を含むものであって、その材質及び係る構成が実質的に同一であるため、ここではその説明を省略する。
【００３８】
ウィンドウ基板５０は、タッチセンサの最外側に形成され、タッチセンサを外部環境から保護する役割をする。ユーザの視認性のために、ウィンドウ基板５０は、透明な材質で形成することができ、例えば、ガラスや強化ガラスのように、所定以上の強度を有する材質であれば特に限定されるものではない。
【００３９】
本発明の一実施例では、図示していないが、ウィンドウ基板５０上に電極パターン２０を直接形成してタッチセンサを具現してもよい。この場合にも、電極パターン２０の視認性を低減させるために、本発明を同様に適用することができることは勿論である。
【００４０】
ディスプレイ部６０は、データを画面に視覚的に出力する表示装置であって、通常、ＣＲＴ（Ｃａｔｈｏｄｅ  Ｒａｙ  Ｔｕｂｅ）、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）、ＬＥＤ（Ｌｉｇｈｔ  Ｅｍｉｔｔｉｎｇ  Ｄｉｏｄｅ）、ＯＬＥＤ（Ｏｒｇａｎｉｃ  Ｌｉｇｈｔ  Ｅｍｉｔｔｉｎｇ  Ｄｉｏｄｅ）などであることができるが、必ずしもこれに限定されるものではない。
【００４１】
本発明の一実施例によるタッチセンサは、ベース基板１０と、前記ベース基板１０に形成され、少なくとも一つ以上の金属細線２０ａが交差して形成されるメッシュパターンの電極パターン２０と、を含み、前記金属細線２０ａの間の領域上にドットパターン３０を形成することができる。
【００４２】
ここで、ドットパターン３０は、少なくとも一つ以上のドット３１を、一定の間隔または不規則な間隔で、所定のパターンに配置することで形成することができる。このようなドットパターン３０は、特定のパターンを成すことができるが、多様なパターン形状を含む、より広範囲な形状のドットパターン３０を意味することができることは自明である。
【００４３】
タッチセンサのベース基板１０は、所定以上の強度を有し、且つディスプレイ部６０の映像が出力されることができる透明性を有する材質であれば特に限定されるものではないが、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルフォン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋ樹脂含有ｂｉａｘｉａｌｌｙ  ｏｒｉｅｎｔｅｄ  ＰＳ；ＢＯＰＳ）、ガラスまたは強化ガラスなどで形成されることが好ましい。
【００４４】
また、ベース基板１０の一面には、電極パターン２０を形成することができる。したがって、ベース基板１０と電極パターン２０との間の接着力を向上させるために、ベース基板１０の一面に高周波処理またはプライマー（ｐｒｉｍｅｒ）処理などを施して表面処理層を形成することができる。
【００４５】
電極パターン２０は、前記ベース基板１０の一面に形成されるものであって、ユーザによりタッチ信号が入力されると、タッチ信号を発生させて、制御部（不図示）によりタッチ座標が認識されるようにする。本発明の一実施例による電極パターン２０は、金属細線２０ａが互いに交差して形成されるメッシュパターンに形成される場合を説明するが、その他にも、不透明な金属電極を用いて多様な規則及び不規則のパターンに形成することができる。この場合にも、電極パターン２０の視認性を低減させるために、同様に適用及び設計変更が可能であることは、当業者にとって明らかである。
【００４６】
電極パターン２０は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）、ニッケル（Ｎｉ）、またはこれらの組み合わせを用いて、メッシュパターン（Ｍｅｓｈ  Ｐａｔｔｅｒｎ）に形成することができる。一方、電極パターン２０は、上述の金属の他にも、銀塩乳剤層を露光／現像して形成された金属、銀、ＩＴＯ（Ｉｎｄｉｕｍ  Ｔｈｉｎ  Ｏｘｉｄｅ）などの金属酸化物や、柔軟性に優れ、コーティング工程が単純なＰＥＤＯＴ／ＰＳＳなどの伝導性高分子を用いて形成することもできる。この場合にも、電極パターン２０の視認性をより低減させるために、本発明が適用されることができることは勿論である。但し、本発明の一実施例では、不透明な金属で形成された電極パターン２０の視認性を低減させるために用いることが、より好適である。
【００４７】
ドットパターン３０は、電極パターン２０のメッシュパターンを構成する複数個の金属細線２０ａの間の領域上に、少なくとも一つ以上のドット３１を配置することで形成することができる。ここで、金属細線２０ａと同一の材質または金属性の材質でドット３１を形成する場合には、電気的な絶縁のために、金属細線２０ａと離隔された位置にドット３１を配置することが好ましい。
【００４８】
図２に図示されたように、ドットパターン３０を成すドット３１は、複数個のドット３１を一方向に一定の間隔で形成することができる。しかし、ドット３１の形成方向を不規則にしたり、その形成間隔を多様に調節したりすることは、本発明の一実施例による技術的思想に当然含まれるものであり、そのドットパターン３０を成す多様な形状は、図示された図面に限定されない。
【００４９】
メッシュパターンに形成された二つ以上の電極パターン２０がベース基板１０の一面上に配置される場合には、図３に図示されたように、金属細線２０ａ上に切断部２０ｂを形成することで、電極パターン２０の間を絶縁させることができる。
【００５０】
ここで、ドットパターン３０を成すドット３１が金属材質で形成される場合には、前記ドット３１の直径は、前記金属細線２０ａの切断部２０ｂの離隔幅Ｓより小さく形成することが、電極パターン２０の電気的信頼性を維持するにおいてより効果的である。また、非伝導性の絶縁材質からなるドット３１を用いる場合にも、ドット３１が金属細線２０ａと結合すると、金属細線２０ａの線幅がより厚く視認されて電極パターン２０の視認性が増加する恐れがあるため、ドット３１は、金属細線２０ａと重なったり連結したりすることがないように、互いに離隔されて形成することが好ましい。
【００５１】
特に、ドット３１の直径ｄと金属細線２０ａの線幅及び切断部２０ｂの離隔幅Ｓの関係は、切断部２０ｂの離隔幅Ｓより金属細線２０ａの線幅が小さく、金属細線２０ａの線幅よりドット３１の直径ｄが小さいかまたは同一であるように形成することが好ましい。このような関係下で、金属細線２０ａで形成された電極パターン２０の視認性をドットパターン３０によって効果的に低減することができるだけでなく、最終的なタッチセンサが効果的な透過率の範囲でユーザに認識させることができる。
【００５２】
図２に図示されたように、ドットパターン３０は、金属細線２０ａから離隔され、金属細線２０ａから等間隔で離隔されるように形成することができる。ドットパターン３０を成すドット３１が、金属細線２０ａの形成方向に等間隔で配置されるように形成することができる。ドットパターン３０は、図４に図示されたように、単位面積（１ｍｍ×１ｍｍ）上に１個以上２，０００個以下のドット３１が含まれるように形成される。これにより、電極パターン２０の視認性を効果的に低減させることができる。上記の範囲より少ないドット３１が形成される場合には、メッシュパターンの視認性を低下させることが困難であり、上記の範囲より多くのドット３１が形成される場合には、むしろ開口率が小さくなって、全体的な視認性である透過率に影響を与える問題が発生し得る。
【００５３】
特に、ドット３１は、金属細線２０ａの線幅とも関連性を有する。すなわち、金属細線２０ａの線幅と同一の直径を有するようにドット３１を形成することができる。
【００５４】
金属細線２０ａの線幅は、３μｍ〜８μｍに形成することができ、この場合、単位面積（１ｍｍ×１ｍｍ）上に５０個以上２０００個以下のドット３１を形成することが好ましい。
【００５５】
より具体的に、金属細線２０ａの線幅が３μｍに形成される場合には、１個以上１７００個以下のドット３１を形成することができ、金属細線２０ａの線幅が５μｍに形成される場合には、１個以上４５０個以下のドット３１を形成することができる。また、金属細線２０ａの線幅が８μｍに形成される場合には、１個以上８４個以下のドット３１を形成することができる。このように、金属細線２０ａの線幅及びドット３１の直径を考慮して適切に配置することで、タッチセンサの全体的な透過率に影響を与えない範囲内で、電極パターン２０の視認性を適切に低減させることができる。
【００５６】
ドットパターン３０を成すドット３１の直径は、０．１μｍ以上１０μｍ以下に形成することができる。ここで、直径は、円の場合には円の径を意味し、円以外の形状では、ドット３１の形状の中心点を通り、ドット３１の縁において最も遠く離れた二つの点を引いた線分と定義することができる（図５のｄについての図示を参照）。
【００５７】
ドット３１は、図５に図示されたように、円形、多角形、またはその組み合わせによる形状を有し、複数個のドット３１は、互いに異なる形状に形成することができる。これにより、電極パターン２０の視認性をより効果的に低減させることができる。
【００５８】
ドット３１は、図２〜４に図示されたことと異なって、それぞれのドット３１の隔離距離が互いに異なるように維持することで、ランダムなドットパターン３０を形成してもよい。しかし、この場合にも、離隔された距離の差によって電極パターン２０が目立って視認されてしまうことがないように、単位面積上に形成されるドット３１の個数を適切に調節しなければならない。これについての説明は、上述の説明と同様であるためその詳細な説明は省略する。
【００５９】
電極パターン２０やドットパターン３０の形成方法は、特に制限されるものではないが、その材質に応じて、乾式工程、湿式工程、またはダイレクト（ｄｉｒｅｃｔ）パターニング工程により形成することができる。ここで、乾式工程はスパッタリング（Ｓｐｕｔｔｅｒｉｎｇ）、蒸着（Ｅｖａｐｏｒａｔｉｏｎ）などを含み、湿式工程はディップコーティング（Ｄｉｐ  ｃｏａｔｉｎｇ）、スピンコーティング（Ｓｐｉｎ  ｃｏａｔｉｎｇ）、ロールコーティング（Ｒｏｌｌ  ｃｏａｔｉｎｇ）、スプレーコーティング（Ｓｐｒａｙ  ｃｏａｔｉｎｇ）などを含み、ダイレクトパターニング工程はスクリーン印刷法（Ｓｃｒｅｅｎ  Ｐｒｉｎｔｉｎｇ）、グラビア印刷法（Ｇｒａｖｕｒｅ  Ｐｒｉｎｔｉｎｇ）、インクジェット印刷法（Ｉｎｋｊｅｔ  Ｐｒｉｎｔｉｎｇ）などを含むことができる。
【００６０】
また、フォトリソグラフィを利用して、基板の電極パターン２０上に感光性物質を塗布した後、所望のパターンを有するマスクを用いて光を照射する。この際、光を受けた感光性物質部分を現像液で除去するか、光を受けていない部分を現像液で除去するなど、所望のパターンを形成するための現像工程を行う。その後、感光性物質が特定パターンに形成され、感光性物質をレジストとして、エッチング液で残りの部分を除去する。その後、感光性物質を除去することで、所望のパターンからなる電極パターン２０やドットパターン３０を製作することができる。
【００６１】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００６２】
本発明の単純な変形乃至変更はいずれも本発明の領域に属するものであり、本発明の具体的な保護範囲は添付の特許請求の範囲により明確になるであろう。
【産業上の利用可能性】
【００６３】
本発明は、タッチセンサに適用可能である。
【符号の説明】
【００６４】
１０  ベース基板
２０  電極パターン
２０ａ  金属細線
２０ｂ  切断部
２１  第１電極パターン
２２  第２電極パターン
３０  ドットパターン
３１  ドット
４０  接着層
５０  ウィンドウ基板
６０  ディスプレイ部
Ｓ  切断部の離隔幅
ｄ  ドットの直径
【図１】
2015130145.tif 000003
【図２】
2015130145.tif 000004
【図３】
2015130145.tif 000005
【図４】
2015130145.tif 000006
【図５】
2015130145.tif 000007